(57)【要約】      （修正有）【課題】容易にリサイクルすることができ、環境にやさしいハンガーを提供する。【解決手段】ハンガー１は、一体的に形成された衣類の肩部分を掛ける肩掛け部２および肩掛け部２を吊り下げる吊り下げ部（フック部）３を有している。このような肩掛け部２および吊り下げ部３は、それぞれ、紙材で構成されている。また、このような紙材として、段ボール紙が用いられている。また、肩掛け部２およびフック部３は、それぞれ、１枚の紙材を折り曲げて重ねた構成をなしている。【選択図】図１
0003144964.tif 000002
【実用新案登録請求の範囲】
【請求項１】
衣類の肩部分を掛ける肩掛け部と、該肩掛け部を吊り下げる吊り下げ部とが一体的に形成されたハンガーであって、
前記肩掛け部および前記吊り下げ部が、それぞれ、紙材で構成されていることを特徴とするハンガー。
【請求項２】
前記紙材は、段ボール紙である請求項１に記載のハンガー。
【請求項３】
前記肩掛け部および前記吊り下げ部は、それぞれ、前記紙材を積層した積層構造をなしている請求項１または２に記載のハンガー。
【請求項４】
前記肩掛け部および前記吊り下げ部は、それぞれ、一枚の前記紙材を折り曲げて重ねた構造か、あるいは、複数枚の前記紙材を積層させた構成である請求項３に記載のハンガー。
【請求項５】
前記肩掛け部の少なくとも一方の面は、所望の情報が印刷された肩掛け部印刷面である請求項１ないし４のいずれかに記載のハンガー。
【請求項６】
前記吊り下げ部の少なくとも一方の面は、所望の情報が印刷された吊り下げ部印刷面である請求項１なしい５のいずれかに記載のハンガー。
【考案の詳細な説明】
【技術分野】
【０００１】
本考案は、ハンガーに関するものである。
【背景技術】
【０００２】
クリーニング店などの衣類を扱う店舗では、毎日大量のハンガーが使用されている。従来から、このようなハンガーとして、安価で強度も確保し易いといった理由からプラスチック製のものが多く使用されている。このようなプラスチック製のハンガーとしては、例えば、特許文献１が挙げられる。しかしながら、プラスチック製のハンガーは、リサイクルし難く、また、破棄するにしても破棄し難いという問題がる。
【０００３】
【特許文献１】特開２００３−２２５１５２号公報
【考案の開示】
【考案が解決しようとする課題】
【０００４】
本考案の目的は、容易にリサイクルすることができ、環境にやさしいハンガーを提供することにある。
【課題を解決するための手段】
【０００５】
前記目的は、以下（１）〜（６）の本考案により達成される。
（１）  衣類の肩部分を掛ける肩掛け部と、該肩掛け部を吊り下げる吊り下げ部とが一体的に形成されたハンガーであって、前記肩掛け部および前記吊り下げ部が、それぞれ、紙材で構成されていることを特徴とするハンガー。
【０００６】
（２）  前記紙材は、段ボール紙である上記（１）に記載のハンガー。
【０００７】
（３）  前記肩掛け部および前記吊り下げ部は、それぞれ、前記紙材を積層した積層構造をなしている上記（１）または（２）に記載のハンガー。
【０００８】
（４）  前記肩掛け部および前記吊り下げ部は、それぞれ、一枚の前記紙材を折り曲げて重ねた構造か、あるいは、複数枚の前記紙材を積層させた構成である上記（３）に記載のハンガー。
【０００９】
（５）  前記肩掛け部の少なくとも一方の面は、所望の情報が印刷された肩掛け部印刷面である上記（１）ないし（４）のいずれかに記載のハンガー。
【００１０】
（６）  前記吊り下げ部の少なくとも一方の面は、所望の情報が印刷された吊り下げ部印刷面である上記（１）なしい（５）のいずれかに記載のハンガー。
【考案の効果】
【００１１】
本考案によれば、容易にリサイクルすることができ、環境にやさしいハンガーを提供することができる。特に、本考案のハンガーを段ボール紙により構成することにより、リサイクル効率が高くなる。また、本考案のハンガーが紙材を積層した積層構造をなす場合には、ハンガーの強度が向上する。また、このような積層構造を一枚の紙材を折り重ねることにより実現する場合には、本願考案のハンガーの製造が容易となる。
【００１２】
また、肩掛け部の少なくとも一方の面が、所望の情報が印刷された肩掛け部印刷面であったり、吊り下げ部の少なくとも一方の面が、所望の情報が印刷された吊り下げ部印刷面であったりする場合には、本願考案のハンガーのデザイン性の向上を図ることができる。また、肩掛け部印刷面や吊り下げ部印刷面に、商品名、企業名、ＵＲＬ（Uniform Resource Locator）等を印刷することにより、本願考案のハンガーを広告媒体として活用することができる。
【考案を実施するための最良の形態】
【００１３】
以下、本考案のハンガーを添付図面に示す好適な実施形態に基づいて詳細に説明する。
図１は、本考案のハンガーの好適な実施形態を示す平面図、図２は、図１に示すハンガーの印刷例を示す図、図３は、図１に示すハンガーの展開図である。
【００１４】
図１に示すハンガー１は、段ボール紙で構成されたものである。このように、ハンガー１を段ボール紙で構成することにより、リサイクル可能で環境にやさしく、かつ、丈夫なハンガーを得ることができる。特に、リサイクル率１００％の段ボール紙を用いることにより、より環境にやさしいハンガー１を得ることができる。
【００１５】
このようなハンガー１は、衣服の肩部を掛ける肩掛け部２と、肩掛け部２を吊り下げるためのフック部（吊り下げ部）３とを有している。肩掛け部２とフック部３とは、一体的に形成されている。
【００１６】
以下、肩掛け部２と、フック部３とについて、順次説明する。
まず、肩掛け部２について説明する。
【００１７】
肩掛け部２は、全体的に丸みを帯びた略三角形の平面視形状をなしていて、３つの辺２１、２２、２３を有している。このような肩掛け部２は、２つの辺２１、２２のうちの一方の辺に衣服の右肩部分を掛け、他方の辺で衣服の左肩部分を掛けるようになっている。
【００１８】
図１に示すように、辺２１、２２はそれぞれ湾曲している。
より具体的には、辺２１は、ハンガー１の中心に近い方に位置し、図１中下側に向けて凸の第１湾曲部２１１と、ハンガー１の中心から遠い方に位置し、図１中上側に向けて凸の第２湾曲部２１２とを有している。
【００１９】
これと同様に、辺２２は、ハンガー１の中心に近い方に位置し、図１中下側に向けて凸の第１湾曲部２２１と、ハンガー１の中心から遠い方に位置し、図１中上側に向けて凸の第２湾曲部２２２とを有している。
【００２０】
このように、辺２１、２２は、それぞれ、互いに反対方向へ凸となる第１湾曲部２１１、２２１および第２湾曲部２１２、２２２を有しており、例えば、衣服の首周りを一対の第１の湾曲部２１１、２２１にて支持し、両肩部を一対の第２湾曲部２１２、２２２にて支持するようになっている。
【００２１】
辺２１、２２をこのような形状とすることにより、ハンガー１の形状を、より人間の首元から肩のラインに近づけることができ、衣服をより確実に掛けることができるとともに（すなわち、不本意な衣服の離脱を防止できるとともに）、衣服の型崩れを抑制することができる。
【００２２】
なお、このような辺２１、２２の長さや湾曲の度合等は、ハンガー１に掛ける衣服の種類、大きさ（肩幅）等によって適宜設定することができる。
【００２３】
一方、辺２３は、直線状をなしている。これにより、後述するように、ハンガー１の製造が容易となる。
【００２４】
以上、肩掛け部２の形状について具体的に説明したが、この肩掛け部２の両面は、それぞれ、所望の情報（文字、絵、写真、模様等）が印刷された印刷面（肩掛け部印刷面）２４、２５である。これにより、ハンガー１のデザイン性が向上する。
【００２５】
また、この印刷面２４、２５に、例えば商品名、著作者名、企業名（店舗名）、ＵＲＬ（Uniform Resource Locator）、２次元バーコードリーダ等の商品・企業情報を印刷することにより、ハンガー１を広告媒体として活用することができる。このようなハンガー１を例えばクリーニング店にて衣服を客に引き渡すときに用いるハンガーとして使用することにより、より大きな宣伝効果を発揮することができる。
【００２６】
次に、フック部３について説明する。
フック部３は、肩掛け部２（ハンガー１）を吊り下げる機能を有するものである。
【００２７】
このようなフック部３は、図１に示すような倒立の略「Ｊ」字状をなしている。吊り下げ部３をこのような形状とすることにより、より確実にハンガー１を対象物（例えば、ハンガーラック）に吊り下げることができる。
【００２８】
以上、フック部３の形状について具体的に説明したが、このフック部３の両面は、それぞれ、所望の情報（文字、絵、写真、模様等）が印刷された印刷面（吊り下げ部印刷面）３１、３２である。これにより、ハンガー１のデザイン性が向上する。
【００２９】
また、この印刷面３１、３２に、例えば商品名、著作者名、企業名（店舗名）、ＵＲＬ（Uniform Resource Locator）、２次元バーコードリーダ等の商品・企業情報を印刷することにより、ハンガー１を広告媒体として活用することができる。このようなハンガー１を例えばクリーニング店にて衣服を客に引き渡すときに用いるハンガーとして使用することにより、より大きな宣伝効果を発揮することができる。
【００３０】
以上説明したように、ハンガー１は、４つの印刷面２４、２５、３１、３２を有しているため、これら４つの印刷面２４、２５、３１、３２に、それぞれ、所定の情報を印刷することにより、様々な効果を有するハンガーを得ることができる。
【００３１】
具体例としては、例えば図２に示すようなハンガーが挙げられる。なお、図２に示すハンガー１は、ハンガー１の両面で同様の印刷が施されているため、ハンガー１の一方の面（印刷面２４、３１）について代表して説明し、他方の面（印刷面２５、３２）については、その説明を省略する。
【００３２】
図２に示すハンガー１の印刷面２４には、地球温暖化防止を謳ったフレーズ４１と、リサイクルを促すマーク４２と、ハンガー１の広告の収益金の一部が寄付されることを示すフレーズ４３と、企業名（スポンサー名）４４とが印刷されている。このようなデザインによれば、ハンガー１がリサイクル可能であり、地球環境に十分に配慮した製品であることをアピールすることができるとともに、企業の宣伝をすることができる。
【００３３】
また、印刷面３１には、クリーニング店の名前５１と、電話番号５２と、サービスデイのお知らせ５３とが印刷されている。これにより、ハンガー１をクリーニング店の宣伝広告として活用することができる。
【００３４】
印刷例としては、これに限定されず、例えば、４つの印刷面２４、２５、３１、３２全てに、デザイン性の高い模様を印刷することにより、デザイン性を著しく高めたハンガーを得ることもできる。
【００３５】
また、印刷面２４、３１（すなわちハンガー１の一方の面）に商品の写真を印刷し、印刷面２５、３２（すなわちハンガー１の他方の面）に、その商品についての情報（販売会社名、著作者名、商品のホームページアドレス（ＵＲＬ）、２次元バーコードリーダ等）を印刷することにより、優れた広告媒体としての機能を備えるハンガーを得ることもできる。
【００３６】
このようなハンガー１は、１枚の段ボール紙を折り曲げることにより重ね合わせた構造をなしている。
【００３７】
より具体的には、図３に示すように、ハンガー１は、ハンガー１の平面視形状と同一のハンガー片６１と、このハンガー片６２と辺２３に対して線対称なハンガー片６２とを有する一枚の段ボール紙６を用意し、この段ボール紙６を辺２３を軸に折り曲げ、ハンガー片６１とハンガー片６２とを重ね合わせ、ハンガー片６１とハンガー片６２とを例えば接着剤により接着することにより得られる。
【００３８】
このように、ハンガー１を段ボール紙６が積層してなる積層構造とすることにより、ハンガー１の強度を高めることができる。
【００３９】
また、本実施形態では、１枚の段ボール紙６を折り曲げ、重ね合わせることによりハンガー１が得られるようになっているため、ハンガー１の製造が容易となる。
【００４０】
特に、段ボール紙６を、直線である辺２３に対して線対称となるように一対のハンガー片６１、６２を位置させた形状としているため、段ボール紙６を辺２３を軸として容易に折り曲げることができるので、ハンガー１の製造がより容易となる。
【００４１】
以上、本考案のハンガーを図示の実施形態に基づいて説明したが、本考案はこれに限定されるものではなく、各部の構成は、同様の機能を有する任意の構成のものに置換することができる。また、本考案に、他の任意の構成物が付加されていてもよい。
【００４２】
また、前述の実施形態では、一枚の段ボール紙を折り曲げて積層構造としたものについて説明したが、これに限定されず、例えば、段ボール紙で構成された同一形状のハンガー片を複数枚用意し、これらハンガー片を例えば接着剤等を用いて積層、接着することにより、積層構造をなすハンガーを得てもよい。
【００４３】
また、前述した実施形態では、紙材として段ボール紙を用いたものについて説明したが、これに限定されず、厚紙等であってもよい。
【図面の簡単な説明】
【００４４】
【図１】本考案のハンガーの好適な実施形態を示す平面図である。
【図２】図１に示すハンガーの印刷例を示す図である。
【図３】図１に示すハンガーの展開図である。
【符号の説明】
【００４５】
１        ハンガー
２        肩掛け部
２１      辺
２１１    第１湾曲部
２１２    第２湾曲部
２２      辺
２２１    第１湾曲部
２２２    第２湾曲部
２３      辺
２４、２５  印刷面
３        フック部
３１、３２  印刷面
４１      フレーズ
４２      マーク
４３      フレーズ
４４      企業名（スポンサー名）
５１      クリーニング店の名前
５２      電話番号
５３      お知らせ
６        段ボール紙
６１      ハンガー片
６２      ハンガー片
【図１】
0003144964.tif 000003
【図２】
0003144964.tif 000004
【図３】
0003144964.tif 000005